(57)【要約】【課題】握り心地が良好で、感度が良く当たりが良好に手に伝わるグリップを有する釣竿を提供する。【解決手段】本発明は、握持、保持されるグリップ１０を有する竿杆２ａを備えた釣竿において、竿杆２ａを、繊維強化樹脂の管状体からなるグリップベース１２の内部に隙間Ｓを設けて支持し、グリップベース１２の外側にグリップベースよりも柔らかい表面層１５を形成したことを特徴とする。【選択図】図２
2011024491.tif 000002
【特許請求の範囲】
【請求項１】
握持、保持されるグリップを有する竿杆を備えた釣竿において、
前記竿杆を、繊維強化樹脂の管状体からなるグリップベースの内部に隙間を設けて支持し、前記グリップベースの外側にグリップベースよりも柔らかい表面層を形成したことを特徴とする釣竿。
【請求項２】
前記表面層は、前記グリップベースよりも薄く形成されていることを特徴とする請求項１に記載の釣竿。
【請求項３】
前記グリップベースは、前記竿杆よりも薄肉厚に形成されていることを特徴とする請求項１又は２に記載の釣竿。
【請求項４】
前記竿杆は、前記グリップベースの内部に挿通されると共に、グリップベースの前端側と後端側で支持されており、その中間部が前記隙間を形成していることを特徴とする請求項１乃至３のいずれか１項に記載の釣竿。
【請求項５】
前記竿杆は、前記グリップベースにスペーサ部材を介して支持されていることを特徴とする請求項１乃至４のいずれか１項に記載の釣竿。
【請求項６】
前記表面層は、多孔質材からなることを特徴とする請求項１乃至５のいずれか１項に記載の釣竿。
【発明の詳細な説明】
【技術分野】
【０００１】
本発明は釣竿に関し、詳細には、グリップ部分に特徴を有する釣竿に関する。
【背景技術】
【０００２】
従来、釣竿には、柔らかい手触りで、滑りを防止するため、コルクや発泡合成樹脂製のグリップが設けられている。例えば、特許文献１には、竿杆を、その周りに芯材を介して天然コルクのグリップ孔に隙間なく差し込んで構成された釣竿のグリップが開示されている。
【先行技術文献】
【特許文献】
【０００３】
【特許文献１】特開２００１−３７３７６号
【発明の概要】
【発明が解決しようとする課題】
【０００４】
上記した公知技術のように、従来の釣竿のグリップは、天然コルクだけで握持し易い太さのグリップ径に形成しているため、握り心地は良好となるものの、中実状に構成されているため、グリップの重量が重くなるという問題がある。また、天然コルクは柔軟性を有しており、竿杆から伝わる振動を緩和してしまうことから、魚の当たりが手に伝わらず、感度が鈍くなってしまうという問題もある。
【０００５】
本発明は、上記した問題に着目してなされたものであり、握り心地が良好で、感度が良く当たりが良好に手に伝わるグリップを有する釣竿を提供することを目的とする。
【課題を解決するための手段】
【０００６】
上記した目的を達成するために、本発明に係る釣竿は、握持、保持されるグリップを有する竿杆を備えており、前記竿杆を、繊維強化樹脂の管状体からなるグリップベースの内部に隙間を設けて支持し、前記グリップベースの外側にグリップベースよりも柔らかい表面層を形成したことを特徴とする。
【０００７】
上記した釣竿によれば、実釣時に握持、保持される部分は、釣竿部材を構成する竿杆に対して隙間を介して設けられる管状体のグリップベースの表面層となる。前記管状体として構成されるグリップベースは、竿杆との間に隙間を形成するため、グリップ部分の軽量化が図れると共に、その外側にグリップベースよりも柔らかい表面層を形成するため、握り心地が向上する。また、グリップベースは、繊維強化樹脂の管状体で構成されて竿杆を支持しているため、竿杆の振動が吸収され難くなって、その表面側に良好に伝わるようになる。このため、表面層では握り心地が良く、かつ、当たりが感知し易いグリップとすることが可能となる。
【発明の効果】
【０００８】
本発明によれば、握り心地が良好で、感度が良く当たりが良好に手に伝わるグリップを有する釣竿を提供することができる。
【図面の簡単な説明】
【０００９】
【図１】本発明の第１の実施形態に係る釣竿の全体図。
【図２】図１に示す釣竿のグリップ部分の縦断面図。
【図３】図２のＡ−Ａ線に沿った断面図。
【図４】図１に示す釣竿の表面層を形成する様子を説明する図。
【図５】第１の実施形態の変形例を示すグリップ部分の縦断面図。
【図６】本発明の第２の実施形態に係る釣竿の全体図。
【図７】図６に示す釣竿のグリップ部分の部分縦断面図。
【図８】図７のＢ−Ｂ線に沿った断面図。
【発明を実施するための形態】
【００１０】
以下、本発明に係る釣竿の実施形態について、添付図面を参照して具体的に説明する。
【００１１】
図１から図４は、本発明に係る釣竿の第１の実施形態を示す図であり、図１は釣竿の全体図、図２は、図１に示す釣竿のグリップ部分の縦断面図、図３は、図２のＡ−Ａ線に沿った断面図、そして、図４は、図１に示す釣竿の表面層を形成する様子を説明する図である。
【００１２】
本実施形態の釣竿１は、使用に際して握持、保持されるグリップ１０を有する元竿２ａ、中竿２ｂ及び穂先竿２ｃ等の複数の釣竿構成部からなるへら竿、渓流竿等の継ぎ竿として構成されており、各釣竿構成部同士は公知の継合構造（継合部）によって着脱可能となっている。実際の使用に際しては、穂先竿２ｃの基端を、中竿２ｂの先端に差し込み、中竿２ｂの基端を元竿２ａの先端に差し込むことで３本継ぎとして使用される。
【００１３】
元竿２ａを構成する竿杆２Ａは、エポキシ樹脂、ポリエステル樹脂等の合成樹脂をマトリックスとし、炭素繊維やガラス繊維等の強化繊維で強化したプリプレグを巻回して形成した繊維強化樹脂製の管状体（図２参照）で構成されており、その基部（後端部）側には、後述する構造のグリップ１０が取付けられている。また、中竿２ｂ及び穂先竿２ｃのそれぞれの竿杆２Ｂ，２Ｃについても、同様な素材で管状体として構成することが可能である。
【００１４】
なお、元竿２ａ、中竿２ｂ及び穂先竿２ｃのそれぞれの竿杆２Ａ，２Ｂ，２Ｃは、ソリッド体として構成されていも良く、釣竿全体として、管状体とソリッド体を含んだ構成であっても良い。すなわち、「竿杆」は、釣竿の素材となる杆体で繊維強化樹脂等の合成樹脂などで形成し、管状体やソリッド体、或いはこれらを複合したものが含まれる。また、釣竿１は、図に示す並継構造等の継ぎ竿以外にも、振り出し式に構成されたものであっても良く、複数の釣竿構成部を継ぐ以外にも、後述する第２実施形態のように、１本の竿杆で形成した１本竿として構成されていても良い。
【００１５】
前記グリップ１０は、元竿２ａの竿杆２Ａと同様、プリプレグを巻回して形成した炭素繊維、ガラス繊維等の繊維強化樹脂の管状体からなるグリップベース１２を有しており、このグリップベース１２は、グリップ１０の基礎形状となる基体で、グリップ１０の形状を維持し、グリップ１０の内側層を形成する殻体で握持し易い大きさの径に合わせるため、元竿２ａの竿杆２Ａよりも大径に構成されている。また、その長さについては、手によって握持、保持される部分になることから、釣竿操作に支障のない程度に設定されている。
【００１６】
前記グリップベース１２は、元竿２ａの竿杆２Ａよりも薄肉厚（図２に示すように、竿杆が管状体であればその肉厚で比較し、ソリッド体であればその直径で比較する）に形成されていることが好ましく、このように竿杆よりも薄肉厚にすることで、軽量化を図ると共に振動を伝え易くすることができる。
【００１７】
前記グリップベース１２は、先端側が先細り状に構成されており、先端部に形成された円筒支持部１２ａが、グリップベース内に差し込まれた元竿２ａの竿杆２Ａ外周面に当接して直接、接着剤等で取付けられている。また、後端側の内面には雌ネジ部１２ｂが形成されており、この部分に尻栓１４が螺合されてグリップベース後端側の開口が閉塞されている。前記尻栓１４の内面には、段状に支持部１４ａが一体形成されており、尻栓１４が竿杆２Ａの後端側を支持している。
【００１８】
したがって、元竿の竿杆２Ａは、管状体として構成されたグリップベース１２の内部において、隙間（空間）Ｓが設けられた状態で支持されている。具体的に本実施形態では、前記円筒支持部１２ａ及び尻栓１４の支持部１４ａによって、前端側と後端側が支持されており、その中間部に隙間（空間）Ｓが設けられた状態となっている。これにより、グリップを構成する部分が空洞になるため、軽量化を図ることが可能となる。
【００１９】
前記竿杆とグリップベースとの間の隙間Ｓの幅（竿杆の外周面と、竿杆に対して平行に延出している部分でのグリップベースの内周面との間で規定される幅）Ｗは、グリップベース１２の肉厚よりも大きくしておくことが好ましい。これにより、隙間Ｓの分だけグリップが重くならずに、握持し易い適度な太さにすることができる。
【００２０】
前記グリップベース１２は、繊維強化樹脂の管状体として構成したため、感度が良く、当たり（竿杆の振動）が良好に伝わるようになる。しかも、竿杆を、グリップベース１２の前端側と後端側で支持しているため、内部に隙間Ｓが形成されている中間部は、僅かに竿杆側（内側）に歪むことができるようになり、これにより握持性の向上が図れる。この場合、隙間Ｓについては、握持することで中間部が歪んでも竿杆に接触しないような大きさに構成されている。
【００２１】
前記グリップベース１２の握持する側の外側表面には、表面層１５が形成されている。この表面層１５は、グリップベース１２の表面よりも柔らかく、滑りが生じないように、それよりも摩擦係数の大きい素材、例えば、コルク、合成樹脂、ゴム等によって構成されており、これにより握り心地の向上を図っている。特に、このような素材では、多孔質材料であるコルクや発泡合成樹脂、発泡ゴムであることが好ましい。このような素材であれば、より握り心地の向上が図れると共に、重量化することを効果的に抑制することができる。
【００２２】
また、前記表面層１５は、グリップベース１２よりも薄肉厚に形成しておくことが好ましく、これにより、グリップ１０の握り心地を良好にしてグリップベースに伝わった振動を維持（感度を維持）することが可能となり、更に軽量化を図ることが可能となる。  
例えば、第１実施形態の釣竿１は、竿杆２Ａのグリップ１０に挿通された部分の肉厚を１．２ｍｍとするとグリップベース１２の肉厚が０．４〜１．０ｍｍ、表面層が０．０１〜０．６ｍｍの範囲からグリップベース１２より表面層が薄肉厚となるようにそれぞれ適度な厚みに設定する。
【００２３】
具体的に、本実施形態では、図４に示すように、表面層１５は、シート状（コルクシート１５Ａとされる）に形成した材料が用いられており、これをグリップベース１２の表面に巻回して接着剤等で取着し、巻回後の表面を研磨してグリップベース表面に一層（巻回一周分）のみを残している。すなわち、コルクシート１５Ａをグリップベース１２に巻きながら接着を施して行き、一周したところで余分をカットして端縁部分を突き合せ、その表面を研磨して境界部が面一になるようにしている。これにより、グリップ部分は、見栄えの向上が図れると共に、軽量化された状態で握り心地の向上が図れ、しかも感度を維持することが可能となる。
【００２４】
図５は、上記した実施形態の変形例を示したグリップ部分の縦断面図である。  
グリップベース１２に対する竿杆の支持方法については、図２に示す構成以外にも、例えば、図５に示すように、前端部及び後端部を、グリップベース１２によって支持するようにしても良い。このグリップベース１２の後端部には、縮径した円筒支持部１２ｃが一体に形成されており、元竿２ａの竿杆２Ａは、その前後において、円筒支持部１２ａ，１２ｃに当接し、接着されて、直接支持されている。この場合、尻栓１４Ａは、元竿２ａの竿杆２Ａの後端の開口に対して圧入されるようになっている。
【００２５】
このような構成であっても、上記した実施形態と同様な作用効果を得ることが可能となる。
【００２６】
図６から図８は、本発明の第２の実施形態を示す図であり、図６は、釣竿の全体図、図７は、図６に示す釣竿のグリップ部分の部分縦断面図、そして、図８は、図７のＢ−Ｂ線に沿った断面図である。
【００２７】
本実施形態の釣竿１Ａは、炭素繊維、ガラス繊維等の繊維強化樹脂製のソリッド体で構成された竿杆２０に、釣糸を挿通する複数のガイド２２が取付けられたルアー竿や船竿として構成されている。竿杆２０の後端側には、リール取付け部２３が設けられており、その後方側にグリップ１０Ａが設けられている。
【００２８】
リール取付け部２３は、公知のように、リール脚を載置する載置面２３ａと、リール脚を固定する固定フード２３ｂと、固定フード２３ｂに対向配置される移動フード２３ｃとを備えており、螺子部２３ｄに螺合された操作体２３ｅを回転操作することで、移動フード２３ｃを固定フード２３ｂに対して接近／離反させ、これにより、載置面２３ａに載置されたリールを着脱可能にしている。
【００２９】
竿杆２０は、リール取付け部２３の内部を貫通すると共に、グリップ１０Ａ内に挿通され、その後端でキャップ状の尻栓２４で支持されている。この場合、グリップ１０Ａは、第１実施形態と同様、管状体で竿杆２０よりも大径で薄肉厚のグリップベース１２Ａを有しており、その前端側と後端側で、スペーサ部材２６を介して竿杆２０を支持している。このため、竿杆２０は、両端に位置するスペーサ部材２６によって、中間部に竿杆２０との間で隙間Ｓが形成されるように支持されている。なお、グリップベース１２Ａは、長手方向に同一径、同一肉厚に形成され、隙間Ｓは長手方向に同一幅に形成されている。  
例えば、第２実施形態の釣竿１Ａでは、竿杆２０のグリップ１０Ａに挿通された部分の径（肉厚）が５．０ｍｍとすると、グリップベース１２Ａの肉厚が０．４〜１．０ｍｍ、表面層１５は第１実施形態と同様の材料が用いられて、０．０１〜０．６ｍｍの範囲でグリップベース１２Ａより表面層１５が薄肉厚となるように適度な厚みに設定する。
【００３０】
前記スペーサ部材２６は、竿杆２０を囲繞するように円板形状に形成されており、竿杆側を支持する円筒支持台２６ａ、グリップベース側を支持する円筒支持台２６ｂ、及びこれらを繋ぐ柱状の連結部２６ｃを備えている。すなわち、スペーサ部材２６は、径方向において中間領域が軸方向にえぐられて連結部２６ｃが形成されており、これにより、スペーサ部材を軽量化すると共に、竿杆２０からの振動が伝わり易いようになっている。
【００３１】
なお、スペーサ部材２６は、振動を十分に伝えるため、上記した実施形態と同様に形成された表面層１５よりも硬い材料、例えば、ＡＢＳ等の合成樹脂や炭素繊維、ガラス繊維等の繊維強化樹脂によって形成されていることが好ましい。
【００３２】
このようなグリップ１０Ａを有する釣竿においても、上記した実施形態と同様な作用効果を得ることが可能となる。また、スペーサ部材の設置箇所や設置個数を変えることで、握り心地を調整することが可能となる。
【００３３】
以上、本発明の実施形態を説明したが、本発明は、上記した実施形態に限定されることはなく、適宜、変形することが可能である。例えば、グリップについては、グリップベースの両端で竿杆を支持し、その中間部に隙間が生じるように構成したが、中間部分にスペーサを介在させても良い。また、グリップベースの表面に設けられる表面層については、塗装で構成しても良いし、凹凸処理を施しても良い。また、グリップベースは、釣竿部材である竿杆を支持し、かつ内部に空間が形成されるような管状体（空洞体）であれば良く、その外形状については適宜変形することが可能である。
【符号の説明】
【００３４】
１，１Ａ  釣竿
２ａ  元竿（竿杆）
１０，１０Ａ  グリップ
１２，１２Ａ  グリップベース
１５  表面層
２０  竿杆
２６  スペーサ部材
【図１】
2011024491.tif 000003
【図２】
2011024491.tif 000004
【図３】
2011024491.tif 000005
【図４】
2011024491.tif 000006
【図５】
2011024491.tif 000007
【図６】
2011024491.tif 000008
【図７】
2011024491.tif 000009
【図８】
2011024491.tif 000010